(57)【特許請求の範囲】
【請求項１】
カード型記憶媒体を受け入れるカード挿入口と、該カード挿入口と連通するカード搬送路と、該カード搬送路と連通しカード型記憶媒体を貯留可能なカード貯留庫と、該カード貯留庫と並列に設けられ前記カード搬送路と連通するカード排出口とが形成された本体と、
前記カード挿入口から挿入されたカード型記憶媒体を、前記カード搬送路を通じて、前記カード貯留庫内、前記カード排出口外、および前記カード挿入口外のいずれかへ搬送可能なカード搬送手段と、
前記カード搬送路上のリードライト位置に設けられ、該リードライト位置に搬送されたカード型記憶媒体からのデータの読み取りおよび／または該カード型記憶媒体へのデータの書き込みを行うカード処理手段と、
前記カード貯留庫内に貯留されているカード型記憶媒体を、一枚あて前記リードライト位置へ移動可能なカード取り出し手段と、
前記カード貯留部と前記カード排出口との間に配設されて該カード貯留庫と該カード排出口との仕切り壁に形成されるとともに、移動可能に設けられ、位置に応じて、前記カード搬送路上を搬送されるカード型記憶媒体を、該カード貯留庫側または該カード排出口側に振り分けて案内する振り分け案内部と、
該振り分け案内部の位置を変位させる案内部駆動手段と、
前記カード処理手段によって前記リードライト位置のカード型記憶媒体から読み取られまたは該カード型記憶媒体に書き込まれたデータの内容に応じて、前記案内部駆動手段および前記カード搬送手段を制御して、該カード型記憶媒体を、前記カード貯留庫内、前記カード排出口外、および前記カード挿入口外のいずれかへ選択的に搬送させる制御部とを備えることを特徴とするカード処理装置。
【請求項２】
前記振り分け案内部は、板状に形成されていることを特徴とする請求項１記載のカード処理装置。
【請求項３】
前記振り分け案内部は、前記カード搬送路のカード型記憶媒体の搬送方向に垂直な回転軸を中心に回動可能に設けられ、角度に応じて、カード型記憶媒体を前記カード貯留庫側または前記カード排出口側に振り分けて案内することを特徴とする請求項１または２記載のカード処理装置。
【請求項４】
前記振り分け案内部には、該振り分け案内部と該カード貯留庫に既に貯留されているカード型記憶媒体との間に、新たに貯留されるカード型記憶媒体が進入可能な間隙を生じさせるための、前記カード貯留庫側に突出し、該カード貯留庫に既に貯留されているカード型記憶媒体に当接する凸部が設けられていることを特徴とする請求項１〜３のうちのいずれか一項記載のカード処理装置。
【請求項５】
前記振り分け案内部のカード型記憶媒体の導入側端部には、該振り分け案内部の前記カード貯留庫側の面との間に、該カード貯留庫に搬入出されるカード型記録媒体が一枚のみ通過可能な幅の隙間を形成する、カード通過規制部が設けられていることを特徴とする請求項１〜４のうちのいずれか一項記載のカード処理装置。
【請求項６】
前記カード取り出し手段は、
前記カード貯留庫内のカード型記憶媒体の一枚に当接して該カード型記憶媒体を伴って移動することで、該カード型記憶媒体を、該カード貯留庫の外側へ向かって、前記カード搬送手段により搬送可能な位置まで移動させる押し出し部材を有し、
該押し出し部材によりカード貯留庫内のカード型記憶媒体を移動させ、前記カード搬送手段により該カード型記憶媒体を前記リードライト位置まで移動させることを特徴とする請求項１〜５のうちのいずれか一項記載のカード処理装置。
【請求項７】
前記リードライト位置は、該リードライト位置に位置するカード型記憶媒体が前記振り分け案内部と重なる位置に設定されていることを特徴とする請求項１〜６のうちのいずれか一項記載のカード処理装置。
【請求項８】
前記カード搬送手段は、カード型記憶媒体を両側から挟む、駆動ローラーと挟圧ローラーとを有することを特徴とする請求項１〜７のうちのいずれか一項記載のカード処理装置。
【請求項９】
前記駆動ローラーおよび前記挟圧ローラーは、前記振り分け案内部と重なる位置に配設され、
前記振り分け案内部には、前記駆動ローラーおよび前記挟圧ローラーをよける切り欠き部が形成されていることを特徴とする請求項８記載のカード処理装置。
【請求項１０】
前記制御部は、カード型記憶媒体を前記カード貯留庫内に搬送する際には、該カード型記憶媒体の搬送方向先端側を該カード貯留庫側へ案内させた後、前記案内部駆動手段により前記振り分け案内部を該カード貯留庫側へ移動するよう制御することで、該振り分け案内部により該カード型記憶媒体を該カード貯留庫側の前記駆動ローラーまたは前記挟圧ローラーに圧接させることを特徴とする請求項８または９記載のカード処理装置。
【請求項１１】
前記カード排出口と連通し、該カード排出口から排出されたカード型記憶媒体を複数収納可能なカード回収庫を備えることを特徴とする請求項１〜１０のうちのいずれか一項記載のカード処理装置。
【請求項１２】
カード型記憶媒体に記憶されるデータには、有価価値を特定可能な有価価値特定情報が含まれ、
前記カード処理手段は、前記リードライト位置のカード型記憶媒体から読み取った有価価値特定情報が示す有価価値を、該有価価値から使用された価値分を差し引いて求められた差し引き有価価値に更新可能であり、
前記制御部は、前記カード型記憶媒体の使用が終了した際、前記差し引き有価価値が０でない場合には、該カード型記憶媒体を前記カード挿入口外へ搬送させ、前記差し引き有価価値が０であり、かつ前記カード貯留庫が満杯でない場合には、該カード型記憶媒体を該カード貯留庫内へ搬送させ、前記差し引き有価価値が０であり、かつ前記カード貯留庫が満杯の場合には、該カード型記憶媒体を前記カード排出口外へ搬送させることを特徴とする請求項１〜１１のうちのいずれか一項記載のカード処理装置。
【請求項１３】
貨幣を投入可能な貨幣投入口を備え、該貨幣投入口より投入された貨幣を識別する貨幣識別装置と接続可能であり、
前記制御部は、貨幣が前記貨幣投入口より投入されて前記貨幣識別装置によって識別された際、前記リードライト位置にカード型記憶媒体がない場合には、前記カード取り出し手段により前記カード貯留庫内からカード型記憶媒体を一枚あて該リードライト位置へ搬送させ、
前記カード処理手段は、前記リードライト位置のカード型記憶媒体の有価価値特定情報が示す有価価値を、該有価価値に投入された貨幣の金額に応じた価値分を足し合わせて求められた新たな有価価値に更新することを特徴とする請求項１２記載のカード処理装置。
【発明の詳細な説明】
【０００１】
【発明の属する技術分野】
本発明は、カード型記憶媒体からのデータの読み取りおよび／またはカード型記憶媒体へのデータの書き込みを行うカード処理装置に関する。
【０００２】
【従来の技術】
パチンコ店等の遊技店において、パチンコ台間等の遊技機付近に、プリペイドカードを挿入することでパチンコ玉等の遊技媒体を貸し出す台間玉貸し機等の遊技媒体貸出機を設置し、遊技者が遊技しながら遊技媒体を借り受けられるようにする遊技媒体の貸し出しシステムが、一般的に普及している。
【０００３】
上記の遊技媒体の貸し出しシステムで用いることができる従来の台間玉貸し機としては、例えば特許文献１の第１図に記載された台間玉貸し機１が挙げられる。
特許文献１の台間玉貸し機１においては、遊技者がこの台間玉貸し機１のカードリーダライタ２（カード処理装置）にカードＣを挿入することによって、カードリーダライタ２によりカードＣ（ここでは説明の簡単のため特許文献１でいう当日カードのみを指す）に記憶された残度数が読み取られ、その残度数で示される貸し出し可能な数を超えない数のパチンコ玉がノズルユニット５３から貸し出される。さらに、カードリーダライタ２により、貸し出されたパチンコ玉の数分だけ残度数が減算されてカードＣに再記憶される。ここで、カードＣの残度数が「０」に達した場合は、カードＣは、特許文献１の第９図に示されるカードリーダライタ２の下部の排出口２２から排出され、カードリーダライタ２の下方に設けられた収納部７に収納されて回収される（特許文献１  段落００２５，００４３〜００４５参照）。
【０００４】
特許文献１に記載されたカードリーダライタ２は、カードＣを、排出して落下させることによりカードリーダライタ２の外部の収納部７に収納させる構成を採用しているため、単純な機構で構成でき、パチンコ台間等の狭い設置スペースに合わせて小型化および薄型化が容易である。さらに収納部７が別体に設けられていることで、収納部７の体積を大きくとって多くのカードＣを収納できるよう構成でき、また、収納部７の開閉を容易に構成して、店員等による収納部７に収納されたカードＣの回収を容易にすることができるといったメリットがある。
【０００５】
一方で、筐体内にカードの収納部を設ける形態のカード処理装置（カード発行装置）が、特許文献２に提案されている。
特許文献２の第１図に記載されたカード発行装置は、筐体１内に、カード１４を積層して収納するカード収納部１１（カード収納箱１３）を備えている。そして、記録された残高がゼロになったカード１４をカード収納部１１に収納できると共に、一旦カード収納部１１に収納されたカード１４を再発行することができる。
また、カード収納箱１３は、筐体１に着脱可能に結合されており、店員等は、カード収納箱１３を筐体１から取り外すことで、カード１４を回収することができる（特許文献２  段落００１８参照）。
【０００６】
特許文献２に記載されたカード発行装置は、収納したカード１４を再発行することができるため、台間玉貸し機に、このカード発行装置と貨幣識別装置とを接続して設ければ、貨幣識別装置に投入された貨幣分の残高を、カード収納部１１に収納されているカード１４に書き込んで再発行させるといった機能を実現することができる。つまり、台間玉貸し機に、投入された貨幣分の残高を書き込んだカード１４を発行させる機能を実現させることができるというメリットがある。
【０００７】
【特許文献１】
特開２００３−３０５８９号公報（第１図、段落００２５，００４３〜００４５）
【特許文献２】
特開２００１−３４８１５号公報（第１図、段落００１８，００６０）
【０００８】
【発明が解決しようとする課題】
特許文献１の台間玉貸し機１においては、カードリーダライタ２にはカードを発行する機能がないため、遊技者が現金でカードＣ（当日カードＣ１）を購入することができない。このため、遊技者が、カードＣの残度数が「０」になるまで遊技してさらにパチンコ玉を借り受けたい場合には、新たなカードＣを購入するために遊技機（パチンコ台）を離れて、例えば島端等に設置されたカード発行機のところまで行くなど、遊技を中断しなければならないという課題がある。この遊技の中断は、遊技者にとって便宜が悪いとともに、パチンコ店（遊技店）にとっても売上の減少につながるといった不都合を生じさせる。
【０００９】
一方、特許文献２のカード発行装置を用いれば、前述の通り、台間玉貸し機にカードの発行機能を実現させることができる。
しかしながら、特許文献２のカード発行装置は、カード１４をカード収納部１１に収納およびカード収納部１１から再発行させる機構が非常に複雑であり、製造コストが高くなってしまうと共に、薄型化および小型化が困難であるという課題がある。特にパチンコ分野においては、パチンコホールなどに用いられている台間機の幅は４ｃｍ程度と幅狭であるため、貯留して再発行するための機構の小型化が困難な特許文献２のカード発行装置は、台間機に搭載することが困難である。ここで台間機の幅を変更し、例えば４ｃｍ以上に変更するという解決策も考えられるが、これでは従来の遊技場の島設備をつくり直さなければならないなどの新たな課題が生じる。
なおも特許文献２のカード発行装置をパチンコ台間等の狭いスペースに設置する場合、カード収納部１１の体積を大きくとることができないため、特許文献２の段落００６０に記載されているように、カード収納部１１（カード収納箱１３）にはカード１４を十数枚程度しか収納させることができない。従って、カード収納部１１（カード収納箱１３）が満杯となって、それ以上カード１４を収納できない状態となってしまいやすいという課題がある。特に遊技店の営業中にこの状態になると、店員等がカード収納部１１（カード収納箱１３）からカード１４を回収するまで台間玉貸し機が機能しなくなるといった不都合を生じ、売上の減少や従業員の回収コストがかかるといった課題がある。
また、営業中にカード収納箱１３が満杯になった場合や営業終了時等に、店員等がカード収納部１１（カード収納箱１３）からカード１４を回収する際に、カード収納箱１３を装置から取り外す必要があり（特許文献２  段落００１８参照）、カード１４の回収を迅速に行うことができないという課題がある。
（ここまで、符号は、特許文献１、２でそれぞれ用いられている符号を用いた。）
【００１０】
本発明は、上記課題を解決すべくなされ、その目的とするところは、取り込んだカード型記憶媒体を再発行可能に貯留でき、貯留可能量以上のカード型記憶媒体は排出（回収）できることで、装置内に貯留されたカード型記憶媒体の回収の手間を省くことができ、なおかつ、簡単な機構で小型化および薄型化が容易なカード処理装置を提供することにある。
【００１１】
【課題を解決するための手段】
本発明に係るカード処理装置は、上記課題を解決するために、以下の構成を備える。すなわち、カード型記憶媒体を受け入れるカード挿入口と、該カード挿入口と連通するカード搬送路と、該カード搬送路と連通しカード型記憶媒体を貯留可能なカード貯留庫と、該カード貯留庫と並列に設けられ前記カード搬送路と連通するカード排出口とが形成された本体と、前記カード挿入口から挿入されたカード型記憶媒体を、前記カード搬送路を通じて、前記カード貯留庫内、前記カード排出口外、および前記カード挿入口外のいずれかへ搬送可能なカード搬送手段と、前記カード搬送路上のリードライト位置に設けられ、該リードライト位置に搬送されたカード型記憶媒体からのデータの読み取りおよび／または該カード型記憶媒体へのデータの書き込みを行うカード処理手段と、前記カード貯留庫内に貯留されているカード型記憶媒体を、一枚あて前記リードライト位置へ移動可能なカード取り出し手段と、前記カード貯留部と前記カード排出口との間に配設されて該カード貯留庫と該カード排出口との仕切り壁に形成されるとともに、移動可能に設けられ、位置に応じて、前記カード搬送路上を搬送されるカード型記憶媒体を、該カード貯留庫側または該カード排出口側に振り分けて案内する振り分け案内部と、該振り分け案内部の位置を変位させる案内部駆動手段と、前記カード処理手段によって前記リードライト位置のカード型記憶媒体から読み取られまたは該カード型記憶媒体に書き込まれたデータの内容に応じて、前記案内部駆動手段および前記カード搬送手段を制御して、該カード型記憶媒体を、前記カード貯留庫内、前記カード排出口外、および前記カード挿入口外のいずれかへ選択的に搬送させる制御部とを備えることを特徴とする。
さらに、前記振り分け案内部は、板状に形成されていることを特徴とする。
また、前記振り分け案内部は、前記カード搬送路のカード型記憶媒体の搬送方向に垂直な回転軸を中心に回動可能に設けられ、角度に応じて、カード型記憶媒体を前記カード貯留庫側または前記カード排出口側に振り分けて案内することを特徴とする。
これによれば、カード貯留庫に貯留されたカード型記憶媒体を、カード取り出し手段により取り出して、カード処理手段により新たなデータを書き込む等の処理を行い、カード挿入口外へ搬送することで、カード型記憶媒体を発行することができる。また、カード挿入口より挿入されたカード型記憶媒体を、カード貯留庫内、カード排出口外、およびカード挿入口外のいずれかへ選択的に搬送することができるため、カード貯留庫に発行に必要な数以上のカード型記憶媒体が貯留されているときに新たなカード型記憶媒体が挿入されても、その新たなカード型記憶媒体はカード排出口外に排出できるため、カード貯留庫内のカードを回収する手間を省ける。さらに、簡単な構成の振り分け案内部で、カード型記憶媒体のカード貯留庫側とカード排出口側への振り分けを実現している。さらに、カード排出口とカード貯留庫とが並列に設けられ、振り分け案内部は、カード貯留部とカード排出口との間に仕切り壁として設けられているため、装置の小型化および薄型化を図ると共に、カード処理装置の機構を簡単にすることができる。
【００１２】
さらに、前記振り分け案内部には、該振り分け案内部と該カード貯留庫に既に貯留されているカード型記憶媒体との間に、新たに貯留されるカード型記憶媒体が進入可能な間隙を生じさせるための、前記カード貯留庫側に突出し、該カード貯留庫に既に貯留されているカード型記憶媒体に当接する凸部が設けられていることを特徴とする。
これによれば、カード貯留庫内のカード型記憶媒体と振り分け案内部との間に隙間を生じさせて、新たなカード型記憶媒体を確実かつスムーズにカード貯留庫内に進入させることができる。
【００１３】
また、前記振り分け案内部のカード型記憶媒体の導入側端部には、該振り分け案内部の前記カード貯留庫側の面との間に、該カード貯留庫に搬入出されるカード型記録媒体が一枚のみ通過可能な幅の隙間を形成する、カード通過規制部が設けられていることを特徴とする。
これによれば、カード貯留庫に一時に搬入出されるカード型記憶媒体は一枚のみとなるため、カード取り出し手段がカード貯留庫内からカード型記憶媒体を取り出す際、複数のカード型記憶媒体がカード搬送路上に取り出されてしまう不具合を防止することができる。
【００１４】
また、前記カード取り出し手段は、前記カード貯留庫内のカード型記憶媒体の一枚に当接して該カード型記憶媒体を伴って移動することで、該カード型記憶媒体を、該カード貯留庫の外側へ向かって、前記カード搬送手段により搬送可能な位置まで移動させる押し出し部材を有し、該押し出し部材によりカード貯留庫内のカード型記憶媒体を移動させ、前記カード搬送手段により該カード型記憶媒体を前記リードライト位置まで移動させることを特徴とする。
これによれば、簡単な機構の押し出し部材と、カード搬送手段とで、カード貯留庫内のカード型記憶媒体をリードライト位置まで移動させることができる。
【００１５】
また、前記リードライト位置は、該リードライト位置に位置するカード型記憶媒体が前記振り分け案内部と重なる位置に設定されていることを特徴とする。
これによれば、リードライト位置のカード型記憶媒体と振り分け案内部とが、重ならなずに搬送方向に直列に並ぶよう設定されている場合に比較して、カード処理装置の搬送方向の長さを短く設計することが可能となり、装置の小型化が図れる。
【００１６】
また、前記カード搬送手段は、カード型記憶媒体を両側から挟む、駆動ローラーと挟圧ローラーとを有することを特徴とする。
これによれば、カード型記憶媒体を、ローラーで両側から挟んで、安定させて搬送させることができる。
【００１７】
さらに、前記駆動ローラーおよび前記挟圧ローラーは、前記振り分け案内部と重なる位置に配設され、前記振り分け案内部には、前記駆動ローラーおよび前記挟圧ローラーをよける切り欠き部が形成されていることを特徴とする。
これによれば、カード型記憶媒体が振り分け案内部と重なる位置でも（特にカード型記憶媒体の搬送方向後端部が振り分け案内部の端部を過ぎるまで）、カード型記憶媒体を駆動ローラーおよび挟圧ローラーのローラー面に当接させて搬送させることができ、カード型記憶媒体を、カード貯留庫内またはカード排出口外に確実に送ることができる。
【００１８】
また、前記制御部は、カード型記憶媒体を前記カード貯留庫内に搬送する際には、該カード型記憶媒体の搬送方向先端側を該カード貯留庫側へ案内させた後、前記案内部駆動手段により前記振り分け案内部を該カード貯留庫側へ移動するよう制御することで、該振り分け案内部により該カード型記憶媒体を該カード貯留庫側の前記駆動ローラーまたは前記挟圧ローラーに圧接させることを特徴とする。
これによれば、カード型記憶媒体を、カード貯留庫側のローラーに確実に圧接させて、確実にカード貯留庫内に送ることができる。特に、カード型記憶媒体の搬送方向後端部が、ローラーのカード貯留庫側の面に当接して、カード型記憶媒体は確実にカード貯留庫の内方に送られる。
【００１９】
また、前記カード排出口と連通し、該カード排出口から排出されたカード型記憶媒体を複数収納可能なカード回収庫を備えることを特徴とする。
これによれば、回収庫の体積や配置等を自由に設計できることで、回収庫の体積を大きくとって多くのカード型記憶媒体を回収できるように設計したり、回収庫からのカード型記憶媒体の回収が容易となるよう設計したりできる。
【００２０】
また、カード型記憶媒体に記憶されるデータには、有価価値を特定可能な有価価値特定情報が含まれ、前記カード処理手段は、前記リードライト位置のカード型記憶媒体から読み取った有価価値特定情報が示す有価価値を、該有価価値から使用された価値分を差し引いて求められた差し引き有価価値に更新可能であり、前記制御部は、前記カード型記憶媒体の使用が終了した際、前記差し引き有価価値が０でない場合には、該カード型記憶媒体を前記カード挿入口外へ搬送させ、前記差し引き有価価値が０であり、かつ前記カード貯留庫が満杯でない場合には、該カード型記憶媒体を該カード貯留庫内へ搬送させ、前記差し引き有価価値が０であり、かつ前記カード貯留庫が満杯の場合には、該カード型記憶媒体を前記カード排出口外へ搬送させることを特徴とする。
これによれば、記憶された有価価値特定情報が示す有価価値が０のカード型記憶媒体を、カード貯留庫に再発行可能に貯留することができる。また、カード貯留庫に貯留可能なカード型記憶媒体の数（カード貯留庫が満杯となる数）を、発行に必要な数以上に設定しておけば、必要数以上のカード型記憶媒体は、カード排出口から排出（回収）させることができる。
【００２１】
さらに、貨幣を投入可能な貨幣投入口を備え、該貨幣投入口より投入された貨幣を識別する貨幣識別装置と接続可能であり、前記制御部は、貨幣が前記貨幣投入口より投入されて前記貨幣識別装置によって識別された際、前記リードライト位置にカード型記憶媒体がない場合には、前記カード取り出し手段により前記カード貯留庫内からカード型記憶媒体を一枚あて該リードライト位置へ搬送させ、前記カード処理手段は、前記リードライト位置のカード型記憶媒体の有価価値特定情報が示す有価価値を、該有価価値に投入された貨幣の金額に応じた価値分を足し合わせて求められた新たな有価価値に更新することを特徴とする。
これによれば、カード貯留庫に貯留された、記憶された有価価値特定情報が示す有価価値が０のカード型記憶媒体に、有価価値を更新する処理を行って、そのカード型記憶媒体をカード挿入口から再発行させることが可能となる。
【００２２】
【発明の実施の形態】
以下、本発明に係るカード処理装置の好適な実施の形態を、添付図面に基づいて詳細に説明する。
【００２３】
図１は本実施の形態に係るカード処理装置Ａの斜視外観図である。
図１に示すように、カード処理装置Ａの本体２は、シャーシー２ａと、シャーシー２ａの一側面の凹部に嵌合するよう設けられ、シャーシー２ａに対して開閉可能に設けられたドア部材２ｂとから成る。直方体をなす本体２には、その端面に設けられ、ＩＣカード等のカード型記憶媒体Ｃ（以下、単にカードＣと呼ぶ）を受け入れるカード挿入口４と、内部のカード搬送路６（図１には図示せず）を介してカード挿入口４と連通し、下方に向かって開口するカード排出口８とが形成されている。カード挿入口４、カード搬送路６、およびカード排出口８は、ドア部材２ｂが閉められた状態で、シャーシー２ａとドア部材２ｂとの間に、カードＣの厚さより若干幅広の細隙状に形成され、カードＣがその板面に平行な方向に通過可能となっている。
【００２４】
カード排出口８の下方には、図示しないカード回収庫が設けられ、カード処理装置ＡはカードＣをカード排出口８から排出することで、カードＣをカード回収庫内に回収することができる。
【００２５】
また、本体２の外面には、接続端子部３４が設けられ、カード処理装置Ａは、例えば貨幣識別装置や玉貸し装置等の、他の機器とデータを送受信可能に設けられる。送受信の処理は、本体２内部に設けられた、ＣＰＵやメモリを備えＲＯＭ等に記憶されたファームウェアプログラムを実行可能な、図示しない制御部によって行われる。
【００２６】
図２〜図４は、本実施の形態に係るカード処理装置Ａの構成を示す説明図である。
図２は、ドア部材２ｂを取り外した本体２（すなわちシャーシー２ａ）を、ドア部材２ｂが取り付けられる側面の側からみた説明図である。なお、図２上、破線で示された部材は、シャーシー２ａの外観からは見られない、シャーシー２ａ内部の構成部材を表す。
図３は、図２の本体２のＸ−Ｘ断面を、本体２の底面側からみた説明図である。
図４は、本体２を、図２の左側からみた説明図である。
なお、図３および図４においては、シャーシー２ａにドア部材２ｂが取り付けられている状態を示している。
【００２７】
図３に示すように、ドア部材２ｂは、その一端側に設けられた軸１０により回動自在にシャーシー２ａに軸支され、シャーシー２ａに対し開閉自在に設けられる。ドア部材２ｂの軸１０が設けられた前記一端側の反対側の他端側には、ラッチ構造（図示せず）が設けられ、ラッチ構造によりドア部材２ｂは閉まった状態でロック可能に設けられる。
【００２８】
図２に示すように、カード搬送路６は、カード挿入口４と連通し、本体２の奥方向（図２上では右方向）に延びている。カード搬送路６の奥側（図２上では右側）は、下方に開口するカード排出口８と連通している。
【００２９】
カード排出口８は、図３に示すように、カード搬送路６のドア部材２ｂ側の側壁と連続する壁部と、その壁部と対向してシャーシー２ａ側に設けられた振り分け案内部としての振り分け案内板１４との間に形成されている。
カード排出口８の、振り分け案内板１４を挟んで反対側には、振り分け案内板１４とシャーシー２ａの壁部との間に、カードＣの数枚分（例として６枚分）の厚さの幅の空間が、カード貯留庫１２として形成されている。
言い換えると、カード排出口８とカード貯留庫１２とは並列して設けられ、板状の振り分け案内板１４が、カード排出口８とカード貯留庫１２との間に、カード排出口８とカード貯留庫１２との仕切り壁として設けられている。
【００３０】
次にカード搬送手段について説明する。
図２に示すように、カード搬送路６の片側の側壁を形成する、シャーシー２ａの側壁には、カードＣの進行方向（搬送方向）に細長の開口部２０が形成され、開口部２０の両端部に配置されたプーリー１８ａとプーリー１８ｂ間に掛け渡されたタイミングベルト１６が、開口部２０からカード搬送路６側へやや突出するように配設されている。カード搬送路６の奥側に位置するプーリー１８ａは、シャーシー２ａに軸２２を介して回転自在に軸支されている。軸２２の一端側には、大歯車２４が、カード搬送手段の駆動源としてのステッピングモータ２６の回転軸に固定されたピニオン２６ａと歯合して設けられている。
この構成により、ステッピングモータ２６が回転駆動することで、駆動ローラーとしてのプーリー１８ａが回転駆動され、伴ってタイミングベルト１６がカード搬送路６に沿って駆動する。
【００３１】
また、カード搬送路６の、前記片側の側壁に対向する、ドア部材２ｂ側の側壁からは、図３に示すように、プーリー１８ａおよびプーリー１８ｂのそれぞれに対応する位置に、回転自在の挟圧ローラー２８ａ，２８ｂが、カード搬送路６側にやや突出して設けられる。
プーリー１８ａおよびプーリー１８ｂは、その回転軸がトーションバネ３２によってそれぞれ挟圧ローラー２８ａ，２８ｂ側に付勢されることで、挟圧ローラー２８ａ，２８ｂにタイミングベルト１６を挟んで圧接される。トーションバネ３２は、シャーシー２ａの内部に固定された支持材３０に取り付けられている。
プーリー１８ａおよびプーリー１８ｂ（タイミングベルト１６）に圧接されることにより、挟圧ローラー２８ａ，２８ｂは、プーリー１８ａ，１８ｂおよびタイミングベルト１６に伴って回転される。
【００３２】
なお、本実施の形態においては、プーリー１８ａ，１８ｂを挟圧ローラー２８ａ，２８ｂ側へ付勢して圧接させる構成を採ったが、逆に、挟圧ローラー２８ａ，２８ｂをプーリー１８ａ，１８ｂ側へ付勢して圧接させるよう構成してもよい。
【００３３】
ステッピングモータ２６は、前記制御部によって、正逆転駆動および停止等の駆動が制御される。それに伴い、プーリー１８ａ，１８ｂ、タイミングベルト１６、および挟圧ローラー２８ａ，２８ｂも正逆転および停止制御される。
【００３４】
上記制御部、ステッピングモータ２６、ピニオン２６ａ、大歯車２４、軸２２、プーリー１８ａ，１８ｂ、タイミングベルト１６、および挟圧ローラー２８ａ，２８ｂにより、カードＣを搬送するカード搬送手段が構成される。
【００３５】
次にカード処理手段について説明する。
図２に示すように、カード搬送路６の側壁内部には、ＩＣカード等のカードＣとデータを送受信して、カードＣからデータを読み取ったり、カードＣにデータを書き込んだりするカードリーダライタとしての、コイル状のアンテナ部３６が設けられる。アンテナ部３６がカードＣから読み取ったデータは前記制御部に送られる。また、制御部はアンテナ部３６を介してカードＣにデータを書き込むことができる。制御部およびアンテナ部３６により、カード処理手段が構成される。
図５は、カードＣが、アンテナ部３６とデータを送受信可能なリードライト位置に位置している状態を示す説明図である。図５に示すように、本実施の形態においては、カードＣのリードライト位置は、リードライト位置に位置するカードＣの先に挿入された奥部が、振り分け案内板１４のカード排出口８側に重なる位置に設定されている。
【００３６】
次に、振り分け案内部としての、板状の振り分け案内板１４について説明する。
図６に、振り分け案内板１４の底面拡大図（図２のＸ−Ｘ断面。ただし図６ではドア部材２ｂあり）を示す。なお、図６においては、説明に不要な部材は省略している。図６（ａ）から分かるように、振り分け案内板１４は、カード排出口８とカード貯留庫１２との間に、カード排出口８とカード貯留庫１２との仕切り壁として、カード搬送路６を搬送されるカードＣの板面とほぼ平行に設けられている。
【００３７】
振り分け案内板１４の、カードＣの導入側の一端部１４ｘの拡大説明図を、図７に示す。振り分け案内板１４の上下縁部（カードＣの搬送方向に沿った両縁部）には、カード貯留庫１２側にほぼ直角に折れ曲がって形成された折れ曲がり部１４ａ（上縁側は図示せず）が設けられている。言い換えると、振り分け案内板１４は、カードＣの搬送方向に直交する断面が、コの字状となるよう形成されている。また、振り分け案内板１４に対向する、カード貯留庫１２の側壁には、折れ曲がり部１４ａが入り込む溝部（図示せず）が形成されている。
【００３８】
また、振り分け案内板１４の一端部１４ｘ側には、折れ曲がり部１４ａから内側（上方）に、振り分け案内板１４の板面と平行に突出して延び、振り分け案内板１４のカード貯留庫１２側の板面との間に、カードＣが一枚のみ通過可能な幅（即ち、カードＣの一枚分の厚さ以上、かつ二枚分の厚さ未満の幅）の隙間を形成する、カード通過規制部としての円筒形の邪魔ピン１４ｂが設けられている。
【００３９】
また、図６に示すように、邪魔ピン１４ｂのカード貯留庫１２側は、カード貯留庫１２に貯留されたカードＣが出庫される時、そのカードＣを前記隙間に案内するための面取りがなされている。面取りは、その稜線の一方が、邪魔ピン１４ｂと振り分け案内板１４との距離が最も短くなる箇所にくるよう設定され、その稜線からカード貯留庫１２側に向かって斜めに切り落としたようになされる。また、振り分け案内板１４の一端部１４ｘがカード貯留庫１２側の側壁の受け部２ａａに当接する位置にあるときに、プーリー１８ａの周りのタイミングベルト１６の外周をプーリー１８ａの軸線方向に延長したとした半円筒内に邪魔ピン１４ｂが収まるように、前記面取りは形成される。
【００４０】
また、図７に示すように、振り分け案内板１４の一端部１４ｘは、プーリー１８ａ（駆動ローラー）および挟圧ローラー２８ａ（図７には図示せず）と重なる位置に配設され、振り分け案内板１４の一端部１４ｘには、プーリー１８ａ（駆動ローラー）および挟圧ローラー２８ａをよける切り欠き部１４ｃが形成されている。
【００４１】
また、図６に示すように、振り分け案内板１４の、前記一端部１４ｘの反対側の他端部１４ｙ寄りには、対向する（上下の）両折れ曲がり部１４ａのそれぞれの一部から延びる延出部１４ｄが形成される。振り分け案内板１４は、延出部１４ｄに設けられた開口部を貫通する、カードＣの搬送方向に垂直かつ搬送されるカードＣの板面と平行な回転軸１４ｅに軸支されて、回動（移動）可能に設けられる。
【００４２】
また、振り分け案内板１４の、回転軸１４ｅよりも前記他端部１４ｙ側は、本体２から突出している。他端部１４ｙは、シャーシー２ａに固定された支持部材３８上の、付勢部材としてのバネ４０によって、カード貯留庫１２からカード排出口８へ向かう方向（図６（ａ）では上方）に向かって付勢されている。これにより、振り分け案内板１４の、他端部１４ｙの回転軸１４ｅを挟んで反対側の一端部１４ｘ側は、カード排出口８からカード貯留庫１２へ向かう方向（図６（ａ）では下方）に向かって付勢されることとなる。振り分け案内板１４の一端部１４ｘは、シャーシー２ａのカード搬送路６を形成する側壁部の、受け部２ａａに当接して止められている。
【００４３】
次に、振り分け案内板１４を変位させる案内部駆動手段としての案内板駆動手段について説明する。
支持部材３８に隣接して（図６（ａ）では支持部材３８奥方向に隣接して）、電磁石４２が設けられる。電磁石４２は、前記制御部によって通電、非通電が切り替えられる。
制御部が電磁石４２に通電した時には、電磁石４２は、鉄やステンレス等の金属板で構成された振り分け案内板１４の前記他端部１４ｙを、バネ４０の付勢力に抗してカード貯留庫１２へ向かう方向（図６（ａ）では下方）に向かって引きつける。これにより、図６（ｂ）に示すように、一端部１４ｘ側は、カード排出口８側（図６（ｂ）では上方）へ移動され、ドア部材２ｂのカード搬送路６を形成する側壁部の、受け部２ｂａに当接する。
また、制御部が電磁石４２の通電を止めた時には、電磁石４２による振り分け案内板１４の引きつけ力が働かなくなるため、振り分け案内板１４の他端部１４ｙは、バネ４０の不勢力によって、カード排出口８へ向かう方向（図６（ｂ）では上方）に向かって移動され、他方、他端部１４ｙの反対側の一端部１４ｘ側は、カード貯留庫１２へ向かう方向（図６（ｂ）では下方）に向かって移動されて、一端部１４ｘは受け部２ａａに当接する、図６（ａ）の位置に復帰する。
制御部、バネ４０および電磁石４２により、振り分け案内板１４を駆動する案内板駆動手段が構成される。
【００４４】
なお、振り分け案内板１４の前記他端部１４ｙ側には、振り分け案内板１４本体よりも肉厚の、鉄やステンレス等の金属板１４ｆを取り付け、電磁石４２による吸着力を高めるとよい。
なお、振り分け案内板１４の本体と金属板１４ｆとの間には、キック板４４が設けられるが、これについては後述する。
【００４５】
また、振り分け案内板１４の、前記一端部１４ｘ寄りの中途部には、カード貯留庫１２側に突出する凸部１４ｇが形成される（図２および図９参照）。凸部１４ｇは、カードＣが新たにカード貯留庫１２に貯留される際に、カード貯留庫１２に既に貯留されているカードＣに当接することで、振り分け案内板１４とカード貯留庫１２に既に貯留されているカードＣとの間に、新たに貯留されるカードＣが進入可能な間隙を生じさせる作用をもつ。
なお、凸部１４ｇのより詳細な作用については、後述するカード処理装置Ａの動作説明の中で述べる。
【００４６】
また、カード処理装置Ａは、図９に示すように、カード貯留庫１２内のカードＣの、カード貯留庫１２の奥側の端部側を、振り分け案内板１４に向かって押し付ける付勢部材としての板バネ５２を備える。板バネ５２は、カード貯留庫１２を画成するシャーシー２ａの側壁に一端が固定され、他端はカード貯留庫１２の奥側に向かって延び、振り分け案内板１４に向かって付勢している。
【００４７】
次に、カード取り出し手段を構成する押し出し部材としてのキック板４４について説明する。
キック板４４は、図９に示すように、カードＣの厚さよりも若干薄い平板状に形成され、振り分け案内板１４の他端部１４ｙ側の、振り分け案内板１４の本体のカード貯留庫１２側の板面と金属板１４ｆとの間に配設される。
キック板４４には、その板面から、その板面に垂直な方向に延びるピン４４ａが設けられる。図２に示すように、ピン４４ａが、振り分け案内板１４本体に、カードＣの搬送方向に細長く形成された溝部１４ｈを貫通することで、キック板４４は、振り分け案内板１４のカード貯留庫１２側の面に沿って、搬送方向に摺動可能に設けられる。
【００４８】
図２に示すように、キック板４４に固定されたピン４４ａは、軸５０ａにより回動自在に軸支されたレバー５０に連繋され、レバー５０の回動により、搬送方向に往復摺動可能となっている。レバー５０は、シャーシー２ａの基体にに連続するベース部４６上に固定されたプランジャー型ソレノイド４８の往復駆動部４８ａにより回動駆動される。プランジャー型ソレノイド４８は、前記制御部によって駆動制御される。
なお、キック板４４の作用については、後述するカード処理装置Ａの動作説明の中で詳述する。
【００４９】
また、図２に示すように、カード搬送路６を形成するシャーシー２ａの側壁には、挿入または搬送されるカードＣを検出する、カード検出手段としてのフォトセンサ５４，５６が設けられる。フォトセンサ５４は、カード搬送路６のカード挿入口４寄りに設けられる。フォトセンサ５６は、振り分け案内板１４のカードＣの導入側端部１４ｘの近くに、振り分け案内板１４のもう一つの切り欠き部１４ｉを通してカードＣを検出可能に配設される。フォトセンサ５４，５６によるカードＣの有無の検出状態は、前記制御部に伝達される。
【００５０】
次に、カード処理装置Ａの動作について説明する。
以下の動作の説明の前提として、カード処理装置Ａは、パチンコ玉等の遊技媒体の貸し出しシステムに用いられ、パチンコ店（遊技店）のパチンコ台間の台間玉貸し機に組み込まれ、貨幣識別装置や、パチンコ玉（遊技媒体）を貸し出すべく排出する玉貸し装置等と通信可能に接続されているものとする。カード処理装置Ａの制御部は、前記接続端子部３４（図１参照）を介して、貨幣識別装置からは遊技者が投入した貨幣分の有価価値情報を受信でき、また玉貸し装置に対しては任意の有価価値分のパチンコ玉を排出するよう、コマンドや情報を送信することができるものとする。
【００５１】
また、カード処理装置Ａが扱うカードＣには、金額や貸し出し可能玉数等の有価価値を特定可能な有価価値特定情報が記憶されているものとする。
有価価値特定情報は、例えば、金額や貸し出し可能玉数等の有価価値を直接表す情報であってもよいし、各カードＣに固有のＩＤ番号であってもよい。
本実施の形態においては、カードＣには、有価価値特定情報として、金額情報が直接記憶されているものとする。
【００５２】
なお、有価価値特定情報が各カードＣに固有のＩＤ番号である場合には、例えば、遊技店内や遊技店経営会社内に設置された管理コンピュータに、各カードＣのＩＤ番号と、金額や貸し出し可能玉数等の有価価値を表す情報とを、関連付けて記憶させておき、台間玉貸し機がその管理コンピュータと通信して、有価価値を特定および更新できるよう、遊技媒体の貸し出しシステムを構成すればよい。
【００５３】
カード処理装置Ａの動作の説明に移る。
図２において、遊技者等がカード挿入口４からカードＣを差し込むと、フォトセンサ５４がカードＣを検出して制御部がカード挿入を認識する。制御部はステッピングモータ２６を制御してタイミングベルト１６を搬送方向（カード搬送路６の奥方向）に駆動させる。カードＣは挟圧ローラー２８ａ，２８ｂとタイミングベルト１６との間に挟圧されて、カード搬送路６内を搬送される。
ここで、振り分け案内板１４は、図６（ａ）に示すように、通常（すなわち電磁石４２に通電を行わない状態では）、バネ４０の付勢力によりカードＣの進入側の端部１４ｘがカード貯留庫１２側の側壁の受け部２ａａに当接した位置で止まっている。この状態で、カードＣを図５のリードライト位置まで搬入させると、図８に示すように、カードＣの搬送方向先端側は、振り分け案内板１４のカード排出口８側の面に沿って進行する。
制御部は、奥側のフォトセンサ５６（図２参照）がカードＣ先端を検出してからのステッピングモータ２６の回転角度（ステップ数）を制御することで、カードＣをリードライト位置に正確に位置決めすることができる。なお、カード搬送手段の駆動源として直流モータを用いた場合には、ロータリーエンコーダを使用すれば、カードＣの正確な搬送位置精度を確保することができる。
【００５４】
続いて、制御部は、アンテナ部３６を介してカードＣと通信を行い、カードＣに記憶された金額情報を読み取り、その金額情報で許される範囲内の所定数のパチンコ玉を排出するよう指示するコマンドを、図示しない玉貸し装置に送信する。玉貸し装置は、指示された分のパチンコ玉を排出し、遊技者は遊技を行うことができる。
制御部は、カードＣに記録されていた金額情報から、排出したパチンコ玉分の金額を差し引いて求めた差し引き金額情報を、アンテナ部３６を介してカードＣに再記録して、カードＣの金額情報を更新する。
【００５５】
ここで、カードＣの更新された金額情報が０となる前に、即ち残金がある状態で、遊技者が遊技を止めた場合には、制御部は、カードＣをカード挿入口４外へ排出する制御を行い、カードＣを遊技者に返却する。この制御は、ステッピングモータ２６を、カードＣをカード挿入口４からリードライト位置へと導いた際とは逆方向に逆転させて、タイミングベルト１６等を逆転させることで行うことができる。
【００５６】
他方、カードＣの更新された金額情報が０となった状態で、遊技者が遊技をやめた場合、制御部は、カードＣをカード貯留庫１２または前記カード回収庫（図示せず）内に回収する処理を行う。これは、金額情報が０となったカードＣが遊技者の手に渡らないようにし、カードＣの金額情報が不法に書き換えられて再利用されるといった犯罪を防ぐ目的と、カードＣを確実に再利用する目的とからである。制御部は、カード貯留庫１２内が満杯、すなわちカード貯留庫１２内に貯留可能枚数（本実施の形態では６枚）分のカードＣが既に貯留されているか否かを判断する。この判断は、カード貯留庫１２にカードＣが搬入出される度にインクリメントまたはデクリメントされる、メモリ上の貯留数カウンタの値を判定することで行われる。この判定の結果、カード貯留庫１２が満杯だった場合には、制御部は、カードＣをカード排出口８外に搬送してカードＣを排出し、カード回収庫に回収させる制御を行う（詳細は後述する）。一方、前記判定の結果、カード貯留庫１２が満杯でない場合には、制御部は、カードＣをカード貯留庫１２内に搬入する制御を行い（詳細は後述する）、前記貯留数カウンタをインクリメントする。
【００５７】
なお、カード貯留庫１２の前記貯留可能枚数は、物理的にカード貯留庫１２内に貯留可能なカードＣの上限枚数に設定してもよいし、物理的にはある程度の余裕を持たせて、上限枚数より少なめに設定してもよい。即ち、カード貯留庫１２が満杯な状態とは、カード貯留庫１２内のカードＣの枚数が、設定された前記貯留可能枚数に達した状態を言い、必ずしもカード貯留庫１２に新たにカードＣを貯留することが物理的に不可能な状態のみを指すわけではない。
【００５８】
制御部の、カードＣをカード排出口８から排出する制御は、ステッピングモータ２６を制御してタイミングベルト１６を搬送方向に、カード排出口８に向かって駆動させることで行うことができる。この制御により、カードＣは、図８に示した位置を経てさらにカード搬送路６の奥方向（カード排出口８側）に搬送され、カードＣの搬送方向後端部がタイミングベルト１６（プーリー１８ａ、挟圧ローラー２８ａ）を過ぎた時点で、重力によって下方に開口するカード排出口８から落下し、図示しない前記カード回収庫内に回収される。
【００５９】
次に、制御部の、カードＣをカード貯留庫１２内に搬入する制御につき説明する。カードＣのリードライト位置は、図５に示すように、カードＣの先端側が、振り分け案内板１４のカード排出口８側に重なる位置となっている。
ここから、カードＣをカード貯留庫１２内に導くには、制御部は、カードＣを、前記カード搬送手段により一旦振り分け案内板１４による分岐位置よりも前に戻した後、振り分け案内板１４を位置制御して、振り分け案内板１４に対して反対側のカード貯留庫１２へ搬送させる。
【００６０】
すなわち制御部は、まず、ステッピングモータ２６を制御して、カードＣをカード挿入口４側に、搬送方向に逆行するよう搬送し、カードＣの奥側端部が、振り分け案内板１４の端部１４ｘよりもカード挿入口４側に位置するまで（即ち、振り分け案内板１４による分岐位置よりも前の位置に）移動させる。
続いて、図６（ｂ）に示すように、電磁石４２に通電制御を行い、振り分け案内板１４の端部１４ｘがカード排出口８側の側壁の受け部２ｂａに当接するよう位置制御する。ここで、図９（ａ）に示すように、カード貯留庫１２内に既に貯留されているカードＣａは、そのカード貯留庫１２奥側の端部が板バネ５２により振り分け案内板１４に圧接され、カード貯留庫１２の導入側の端部側には振り分け案内板１４の凸部１４ｇが当接するため、カード貯留庫１２の導入側においては、振り分け案内板１４とカード貯留庫１２に既に貯留されているカードＣａとの間には間隙５８が生じている。続いて、ステッピングモータ２６を制御して、カードＣを搬送方向（カード搬送路６の奥方向）へ搬送することにより、カードＣの搬送方向先端部は振り分け案内板１４に案内されて、カード貯留庫１２側に進入する（図９（ｂ））。この際、カードＣは、間隙５８に進入する。もし凸部１４ｇおよび板バネ５２がなければ、カード貯留庫１２に既に貯留されているカードＣａの位置は安定しないため、カードＣが、カードＣａの端部に当たって引っ掛かり、カード貯留庫１２内にスムーズに進入することができないといった不具合が生じる場合がある。
【００６１】
このようにカードＣの搬送方向先端側をカード貯留庫１２側へ案内させた後、制御部は、電磁石４２の通電を切り、振り分け案内板１４の端部１４ｘをカード貯留庫１２側へ移動するよう制御する。これにより、振り分け案内板１４は、カードＣをカード貯留庫１２側のタイミングベルト１６を介してプーリー１８ａ（駆動ローラー）に圧接させる。こうすることにより、図９（ｃ）のように、プーリー１８ａ（駆動ローラー）は、タイミングベルト１６を介して、カードＣの搬送方向後端部に至るまで、カードＣに好適に当接し、カードＣをカード貯留庫１２内に残らず送りきることができるのである。
さらに、プーリー１８ａおよび挟圧ローラー２８ａは、振り分け案内板１４と重なる位置に配設されているため、カードＣをカード貯留庫の内方に確実に送りきることができるのである。
このようにして、搬入されたカードＣは、カード貯留庫１２内に積層されて貯留される。
【００６２】
なお、リードライト位置が、リードライト位置に位置するカードＣが、振り分け案内板１４のカード排出口８側に重なる位置に設定されていることにより、リードライト位置のカードＣと振り分け案内板１４とが重ならなずに搬送方向に直列に並ぶよう設定されている場合に比較して、カード処理装置Ａの搬送方向の長さを短く設計することが可能となり、装置の小型化が図れる。
もちろん、リードライト位置を、リードライト位置に位置するカードＣが、振り分け案内板１４のカード貯留庫１２側に重なる位置に設定してもよい。この場合に、リードライト位置のカードＣを、振り分け案内板１４に対して反対側のカード排出口８側に導く際には、同様に、カードＣを、前記カード搬送手段により一旦振り分け案内板１４による分岐位置よりも前に戻した後、振り分け案内板１４を位置制御して、振り分け案内板１４に対して反対側のカード排出口８へ搬送させる。
【００６３】
次に、台間玉貸し機に設けられた貨幣識別装置に貨幣が投入された場合の、カード処理装置Ａの動作について説明する。
遊技者が、遊戯中に貨幣識別装置に貨幣を投入し、その際に、既にカード処理装置Ａ内のリードライト位置にカードＣがある場合、制御部はそのカードＣの金額情報に、投入された貨幣の金額分を足し合わせて、カードＣの金額情報を、その足し合わせて求められた新たな金額情報に書き換える。これにより、遊技者は、その新たな金額分のパチンコ玉を借り受けることが可能となる。
【００６４】
一方、遊技者が、カードＣを持たずに（即ちカード処理装置ＡにカードＣを挿入せずに）貨幣識別装置に貨幣を投入した場合や、挿入したカードＣがカード貯留庫１２やカード回収庫に回収されてしまった後で貨幣識別装置に貨幣を投入した場合には、制御部は、カード貯留庫１２内に貯留されているカードＣを、カード取り出し手段により、一枚あて、リードライト位置まで搬送して、そのカードＣに投入された金額分の金額情報を書き込んで、遊技を可能とする。
【００６５】
カード貯留庫１２からカードＣを一枚あてリードライト位置まで移動させる際の、制御部の制御を説明する。
まず、制御部は、まずタイミングベルト１６を、搬送方向に逆行、即ち、カード搬送路６側からカード挿入口４側へ向かうよう、逆駆動させる。続いて、プランジャー型ソレノイド４８を通電駆動させ、図１０に示すように、キック板４４を、カード貯留庫１２内へ向けて移動させる。一方、カード貯留庫１２内のカードは、そのカード貯留庫１２の奥側、すなわちキック板４４側の端部が、板バネ５２により振り分け案内板１４に向けて付勢されることで、最も振り分け案内板１４側のカードＣは振り分け案内板１４に接触して位置している。従って、カードＣの厚さよりも若干薄く形成され、振り分け案内板１４に沿って移動するキック板４４は、最も振り分け案内板１４側のカードＣの端面に当接して、カードＣをカード貯留庫１２の外側へ向かって移動させることとなる。そのカードＣのもう一方の端部は、図１０に示すように、邪魔ピン１４ｂの面取り面に案内されて、振り分け案内板１４と邪魔ピン１４ｂとの間を通過し、タイミングベルト１６と挟圧ローラー２８ａとの間に挿入される。これにより、カードＣはカード搬送手段により搬送されて、リードライト位置まで搬送される。また、制御部は、前記貯留数カウンタをデクリメントする。
【００６６】
なお、このとき、キック板４４または移動されるカードＣとの間の摩擦力等によって、カード貯留庫１２内の他のカードＣａまでもがカード貯留庫１２外へ出て、複数のカードＣ，Ｃａがカード搬送手段に搬送されてしまう不具合が懸念されるが、邪魔ピン１４ｂと振り分け案内板１４との間の隙間は、カードＣ，Ｃａの２枚分の厚さよりも狭く設定されているため、その隙間を通過してカード搬送手段に当接するカードＣは必ず一枚のみとなり、懸念される前記不具合は発生し得ない。
【００６７】
カード搬送手段により再搬送されたカードＣは、リードライト位置に搬送可能され、貨幣識別装置に投入された前記貨幣の金額分の金額情報が書き込まれ、遊技者の遊技に供される。
その後、遊技者が遊技を終えた際には、このリードライト位置のカードＣに対して、カード挿入口４から発行、カード貯留庫１２に再格納、またはカード回収庫に回収される等の処理が可能であることは言うまでもない。
【００６８】
本実施の形態に係るカード処理装置Ａによれば、カード貯留庫１２に貯留したカードＣを発行することができるため、貨幣識別装置に投入された貨幣分の残高を、カード貯留庫１２に貯留されているカードＣに書き込んで発行させるといった機能を実現することができる。つまり、台間玉貸し機に、投入された貨幣分の残高を書き込んだカードＣを発行させる機能を実現させることができる。
【００６９】
さらに、カード処理装置Ａによれば、カード貯留庫１２に入りきらないカードＣは、カード排出口８から排出して落下させることによりカード処理装置Ａの下方の回収庫に回収させる構成を採用しているため、カード貯留庫１２が満杯となっても、店員がカード貯留庫１２からカードＣを取り出す等の処置を行う必要がなく手間が省けると共に、常に台間玉貸し機を運転させておくことが可能となる。また、回収庫の体積を大きくとって多くのカードＣを回収できるよう構成でき、また、回収庫の開閉を容易に構成して、店員等による回収庫のカードＣの収集を容易にすることができる。
また、単純な機構で構成でき、パチンコ台間等の狭い設置スペースに合わせて小型化および薄型化が容易である。
【００７０】
ところで、本実施の形態においては、カード貯留庫１２に貯留可能なカードＣの枚数を６枚に設定しているが、従来の一般的なパチンコ店等の遊技店において、従来の台間玉貸し機で、新たに発行されるカードと、挿入されて回収されるカードとの差し引き枚数を統計した結果、一日の営業中に、新たに発行されるカードが、挿入されて回収されるカードよりも７枚以上多いということはほとんど発生しないことを、本願発明者らは確認している。即ち、一般的な台間玉貸し機に使用する場合には、カード貯留庫１２には、６枚程度のカードＣの貯留があれば十分である。
もちろん、本発明のカード処理装置において、カード貯留庫のカード貯留可能枚数は、６枚程度に限定されるものではなく、その枚数は用途に応じて適宜変更可能な設計事項である。
【００７１】
なお、本実施の形態においては、カード型記憶媒体に記録された有価価値特定情報が０の場合に、カード型記憶媒体を回収または貯留するよう構成したが、本発明のカード処理装置はこの用途に限定されない。例えば、有価価値情報が不法に書き換えられてたり、カード型記憶媒体の記憶手段が故障したりしているのを検出した場合に、カード型記憶媒体を回収（排出）するよう構成してもよい。
【００７２】
また、本実施の形態では、本発明に係るカード処理装置を、台間玉貸し機に組み込んで使用しているが、本発明に係るカード処理装置はこれに限定されず、カード型記憶媒体からのデータの読み取りおよび／または該カード型記憶媒体へのデータの書き込みを行う用途であれば、あらゆる用途に使用することができる。
【００７３】
【発明の効果】
本発明に係るカード処理装置によれば、取り込んだカード型記憶媒体を再発行可能に貯留でき、貯留可能量以上のカード型記憶媒体は排出（回収）できることで、装置内に貯留されたカード型記憶媒体の回収の手間を省くことができ、なおかつ、簡単な機構で小型化および薄型化が容易であるといった効果を奏する。
【図面の簡単な説明】
【図１】本実施の形態に係るカード処理装置の斜視外観図である。
【図２】本実施の形態に係るカード処理装置の構成を示す側面説明図である。
【図３】本実施の形態に係るカード処理装置の構成を示す底面説明図である。
【図４】本実施の形態に係るカード処理装置の構成を示す説明図である。
【図５】カード型記憶媒体のリードライト位置を示す説明図である。
【図６】振り分け案内板が移動する位置を示す説明図であり、（ａ）は、カード型記憶媒体をカード排出口側へ案内する位置、（ｂ）は、カード型記憶媒体をカード貯留庫側へ案内する位置を示す。
【図７】振り分け案内板の、カード型記憶媒体の導入側の一端部の拡大説明図である。
【図８】振り分け案内板がカード型記憶媒体をカード排出口側へ案内している状態を示す説明図である。
【図９】振り分け案内板がカード型記憶媒体をカード貯留庫側へ案内している状態を示す説明図であり、（ａ）は、振り分け案内板が、カード型記憶媒体をカード貯留庫側へ案内する位置へ移動した状態、（ｂ）は、振り分け案内板が、カード型記憶媒体の搬送方向先端側をカード貯留庫側へ案内している状態、（ｃ）は、振り分け案内板が、カード型記憶媒体の搬送方向後端側を、駆動ローラー（タイミングベルト）に圧接すると共にカード貯留庫側へ案内している状態を示す。
【図１０】カード貯留庫内に貯留されているカード型記憶媒体を、一枚あてリードライト位置へ移動させる際の動作を示す説明図である。
【符号の説明】
Ａ  カード処理装置
Ｃ，Ｃａ  カード（カード型記憶媒体）
２  本体
２ａ  シャーシー
２ｂ  ドア部材
４  カード挿入口
６  カード搬送路
８  カード排出口
１２  カード貯留庫
１４  振り分け案内板（振り分け案内部）
１４ａ  折れ曲がり部
１４ｂ  邪魔ピン（カード通過規制部）
１４ｃ  切り欠き部
１４ｅ  回転軸
１４ｆ  金属板
１４ｇ  凸部
１４ｘ  カード型記憶媒体の導入側端部（一端部）
１４ｙ  カード型記憶媒体の導入側の反対側の端部（他端部）
１６  タイミングベルト
１８ａ  プーリー（駆動ローラー）
１８ｂ  プーリー
２６  ステッピングモータ
２８ａ，２８ｂ  挟圧ローラー
３４  接続端子部
３６  アンテナ部
４０  バネ
４２  電磁石
４４  キック板
４８  プランジャー型ソレノイド
５２  板バネ
５４，５６  フォトセンサ
５８  間隙
【図１】
0003605109.tif 000002
【図２】
0003605109.tif 000003
【図３】
0003605109.tif 000004
【図４】
0003605109.tif 000005
【図５】
0003605109.tif 000006
【図６】
0003605109.tif 000007
【図７】
0003605109.tif 000008
【図８】
0003605109.tif 000009
【図９】
0003605109.tif 000010
【図１０】
0003605109.tif 000011